(57)【要約】【課題】装置が動作・停止の間で振動して破壊することを防止し、安定した動作を得ると共に、広い温度範囲で使用できるインクジェットプリンタ等の画像形成装置を得る。【解決手段】電源オン時には記憶手段１６０の第１の温度閾値が選択手段１２０で選択されその動作可能温度範囲が決められる。制御手段１１０は、温度検出手段１３０の検出温度が上記温度範囲にあれば動作を開始する。検出温度が上記温度範囲外になったら待機モードに移行する。待機中は第３の温度閾値が選択されて動作可能温度範囲が決められ、検出温度がその温度範囲外になったら再び動作を開始する。動作中は第２の温度閾値による動作可能温度範囲が用いられ、検出温度がその温度範囲外になったら待機モードになる。そして第３の温度閾値が選択され、検出温度が温度範囲外になったら動作をまた開始する。【選択図】        図１
2005022294.tif 000002
【特許請求の範囲】
【請求項１】
温度検出手段の検出温度と温度閾値とを比較することにより動作状態を制御する制御手段を有する画像形成装置において、
動作状態に応じて温度閾値を変更する変更手段を設けたことを特徴とする画像形成装置。
【請求項２】
前記動作状態は、第１の温度閾値により第１の動作可能温度範囲が決められる起動時モード、第２の温度閾値により第２の動作可能温度範囲が決められる動作中モード、第３の温度閾値により第３の動作可能温度範囲が決められる待機モードの３つの状態があり、
前記制御手段は、前記検出温度が第１又は第２の動作可能温度範囲外となったとき待機モードに移行する制御を行い、待機モードにおいて検出温度が第３の動作可能温度範囲外となったとき動作中モードに移行する制御を行い、
前記変更手段は、第１〜３の温度閾値を記憶する記憶手段と、各モードに応じて記憶手段から１つの温度閾値を選択して制御手段に渡す選択手段とからなることを特徴とする請求項１記載の画像形成装置。
【請求項３】
前記第１の温度閾値は第１の動作可能温度範囲の上限値を決める第１の閾値と下限値を決める第２の閾値を有し、前記第２の温度閾値は第２の動作可能温度範囲の上限値を決める第３の閾値と下限値を決める第４の閾値を有し、前記第３の温度閾値は第３の動作可能温度範囲の上限値を決める第５の閾値と下限値を決める第６の閾値を有し、第３の閾値＞第１の閾値＞第５の閾値＞第６の閾値＞第２の閾値＞第４の閾値の関係にあることを特徴とする請求項２記載の画像形成装置。
【請求項４】
前記動作状態を報知する報知手段を設けたことを特徴とする請求項１、２又は３記載の画像形成装置。
【請求項５】
前記報知手段は、前記報知を操作パネルで行うことを特徴とする請求項４記載の画像形成装置。
【請求項６】
前記報知手段は、前記報知を画像データを受信するためのホスト上のプリンタドライバで行うことを特徴とする請求項４又は５記載の画像形成装置。
【請求項７】
インクジェットプリンタであることを特徴とする請求項１〜６のいずれか１項記載の画像形成装置。
【請求項８】
前記温度検出手段は、インクジェットヘッドの温度を検出することを特徴とする請求項７記載の画像形成装置。
【請求項９】
温度検出手段の検出温度と温度閾値とを比較することにより動作状態を制御する画像形成装置の制御方法において、
動作状態に応じて温度閾値を変更するようになし、
動作状態としては、第１の温度閾値により第１の動作可能温度範囲が決められる起動時モード、第２の温度閾値により第２の動作可能温度範囲が決められる動作中モード、第３の温度閾値により第３の動作可能温度範囲が決められる待機モードの３つの状態があり、
前記検出温度が第１又は第２の動作可能温度範囲外となったとき待機モードに移行する制御を行い、待機モードにおいて検出温度が第３の動作可能温度範囲外となったとき動作中モードに移行する制御を行うことを特徴とする画像形成装置の制御方法。
【請求項１０】
検出温度に応じて画像形成装置のモードを制御する処理と、
起動時モードのとき第１の動作可能温度範囲を決める第１の温度閾値を用い、動作中モードのとき第２の動作可能温度範囲を決める第２の温度閾値を用い、待機モードのとき第３の動作可能温度範囲を決める第３の温度閾値を用いる処理と、
検出温度が第１又は第２の動作可能温度範囲外となったとき待機モードに移行制御する処理と、
待機モードにおいて検出温度が第３の動作可能温度範囲外となったとき動作中モードに移行制御する処理とをコンピュータに実行させるプログラム。
【請求項１１】
請求項１０記載のプログラムを記憶したコンピュータ読み取り可能な記憶媒体。
【発明の詳細な説明】
【０００１】
【発明の属する技術分野】
本発明は、インクジェットプリンタ等の温度により動作状態を制御する画像形成装置、その制御方法、プログラム及びコンピュータ読み取り可能な記憶媒体に関する。
【０００２】
【従来の技術】
インクジェットプリンタは、インクを吐出することによって画像を形成する画像形成装置である。インクは液体という不安定な状態であるために、温度によってその特性が大きく変化する。即ち、温度が低下することによってインクの粘性が高くなり、最終的には凍結する可能性がある。このような状態でプリンタを動作させてしまうと画像を正常に描画できないばかりか、インクヘッドの破壊につながる可能性がある。また、高温域においても、粘度が低下して、メニスカスが保てなくなり、インクヘッドからインクが紙面上に垂れてしまって正常に描画できなくなってしまう。また、インクが垂れることを想定していない装置の場合、装置の故障につながる可能性もある。
【０００３】
そこで、動作可能範囲外において、機械の破壊を未然に防ぐように動作を停止し、また、動作範囲をできるだけ広げてユーザが広範囲の温度領域で使用できるインクジェットプリンタに関する先行技術が提案されている（例えば、特許文献１、２参照）。
【０００４】
【特許文献１】
特開平１０−３０５５６４号公報
【特許文献２】
特許第２７１４３５３号
【０００５】
【発明が解決しようとする課題】
しかしながら、特許文献１には以下のような問題点がある。
動作可能温度範囲の境界域付近で動作可能／動作不可能が振動することになる。境界温度付近でこのようなプリンタを使用する場合、温度変化によって直ぐに動作開始可能となるが、直ぐにまた動作不可の温度範囲になってしまうことがある。即ち、プりンタに停止・動作の小刻みな振動が起こってしまう。ユーザとしては、動作可能状態になっても直ぐにプリンタから温度変更要求をされてしまう操作性の悪い装置となってしまう。
プリンタ本体も、一度動作環境境界付近で動作させている場合、より長い時間、動作保証範囲外で動作させることになり、プリンタにより多くの負担をかけることになる。これは装置にとって望ましくない。
【０００６】
また、特許文献２には以下のような問題点がある。
ここでは通信可能温度と、動作可能温度とにその閾値を分けている。このため、実際にプリントできる範囲は、通信可能状態として制約さてしまう。即ち、高温域の場合より低い温度範囲でないとユーザは印刷できなくなってしまう。
【０００７】
本発明は、動作可能範囲外において装置の破壊を未然に防ぐように動作を停止させ、また、動作温度範囲をできるだけ広げてユーザが広範囲の温度領域で使用できるインクジェットプリンタ等の画像形成装置を提供することを目的としている。
【０００８】
【課題を解決するための手段】
上記の目的を達成するために本発明による画像形成装置は、温度検出手段の検出温度と温度閾値とを比較することにより動作状態を制御する制御手段を有する画像形成装置において、動作状態に応じて温度閾値を変更する変更手段を設けたことを特徴とするものである。
【０００９】
また、本発明による画像形成装置の制御方法は、温度検出手段の検出温度と温度閾値とを比較することにより動作状態を制御する画像形成装置の制御方法において、動作状態に応じて温度閾値を変更するようになし、動作状態としては、第１の温度閾値により第１の動作可能温度範囲が決められる起動時モード、第２の温度閾値により第２の動作可能温度範囲が決められる動作中モード、第３の温度閾値により第３の動作可能温度範囲が決められる待機モードの３つの状態があり、前記検出温度が第１又は第２の動作可能温度範囲外となったとき待機モードに移行する制御を行い、待機モードにおいて検出温度が第３の動作可能温度範囲外となったとき動作中モードに移行する制御を行うことを特徴とするものである。
【００１０】
また、本発明によるプログラムは、検出温度に応じて画像形成装置のモードを制御する処理と、起動時モードのとき第１の動作可能温度範囲を決める第１の温度閾値を用い、動作中モードのとき第２の動作可能温度範囲を決める第２の温度閾値を用い、待機モードのとき第３の動作可能温度範囲を決める第３の温度閾値を用いる処理と、検出温度が第１又は第２の動作可能温度範囲外となったとき待機モードに移行制御する処理と、待機モードにおいて検出温度が第３の動作可能温度範囲外となったとき動作中モードに移行制御する処理と、動作中モードに移行制御する処理とをコンピュータに実行させるものである。
【００１１】
【発明の実施の形態】
以下、本発明の実施の形態を図面と共に説明する。
本実施の形態は、前記先行技術よりも動作可能温度範囲を広くすることができる。装置の性質上、動作すれば温度が上昇するという性質がある。このため、必ず温度が上昇する分の閾値を予め低く設定しておくのが理にかなっていると考える。装置は、動作中であればその温度は、ある一定温度までは上昇するが、その後は、平衡状態となる。この状態では、印刷可能である場合もある。この平衡状態より前記先行技術が低い温度を設定されている場合は、使用範囲を狭めていることになる。印刷が開始できる温度を設定している目的は、印刷中の機械の温度が上昇することを想定している。しかし、上昇温度は、機械の動作状態に依存する。このように一意に印刷をはじめる時に動作可能温度を低く設定することは、プリンタの使用温度範囲を狭めていることになる。
本実施の形態はこれらに着目したものである。
【００１２】
図６、図７は本実施の形態による画像形成装置としてのインクジェットプリンタに構成を示す正面図及び平面図である。
このインクジェットプリンタは、図示しない左右の側板に横架したガイド部材であるガイドロッド１とステー２とでキャリッジ３を主走査方向に摺動自在に保持し、主走査モータ４でタイミングベルト５を介して図７の矢示方向（主走査方向）に移動走査する。
このキャリッジ３には、イエロー（Ｙ）、シアン（Ｃ）、マゼンタ（Ｍ）、ブラック（Ｂｋ）の各色のインク滴を吐出する４個のインクジェットヘッド７を複数のインク吐出口を主走査方向と交叉する方向に配列し、インク滴吐出方向を下方に向けて装着している。
【００１３】
インクジェットヘッド７を構成するヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどをインクを吐出するためのエネルギー発生手段として備えたものなどを使用できる。
【００１４】
また、キャリッジ３には、記録ヘッド７に各色のインクを供給するための各色のサブタンク８を搭載している。このサブタンク８には図示しないインク供給チューブを介してメインタンク（インクカートリッジ）からインクが補充供給される。また、キャリッジ３には、温度センサー８０を搭載している。温度センサーは、サーミスタ抵抗によって構成される。温度センサーは、サーミスター抵抗以外でも、サーマルダイオードによるもの水晶発振子によるものなどでもよい。
【００１５】
一方、給紙カセット１０などの用紙積載部（圧板）１１上に積載した用紙１２を給紙するための給紙部として、用紙積載部１１から用紙１２を１枚づつ分離給送する半月コロ（給紙コロ）１３及び給紙コロ１３に対向し、摩擦係数の大きな材質からなる分離パッド１４を備え、この分離パッド１４は給紙コロ１側に付勢されている。
【００１６】
そして、この給紙部から給紙された用紙１２をインクジェットヘッド７の下方側で搬送するための搬送部として、用紙１２を静電吸着して搬送するための搬送ベルト２１と、給紙部からガイド１５を介して送られる用紙１２を搬送ベルト２１との間で挟んで搬送するためのカウンタローラ２２と、略鉛直上方に送られる用紙１２を略９０°方向転換させて搬送ベルト２１上に倣わせるための搬送ガイド２３と、押さえ部材２４で搬送ベルト２１側に付勢された先端加圧コロ２５とを備えている。また、搬送ベルト２１表面を帯電させるための帯電手段である帯電ローラ２６を備えている。
【００１７】
ここで、搬送ベルト２１は、無端状ベルトであり、搬送ローラ２７とテンションローラ２８との間に掛け渡されて、副走査モータ３１からタイミングベルト３２及びタイミングローラ３３を介して搬送ローラ２７が回転されることで、図７の矢印方向（ベルト搬送方向）周回するように構成されている。この搬送ベルト２１は、抵抗制御を行っていない純粋な厚さ４０μｍ程度の樹脂材、例えばＥＴＦＥピュア材で形成した用紙吸着面となる表層と、この表層と同材質でカーボンによる抵抗制御を行った裏層（中抵抗層、アース層）とを有している。
【００１８】
この搬送ベルト２１は、抵抗制御を行っていない純粋な厚さ４０μｍ程度のに従動して回転するように配置され、加圧力として軸の両端に各２．５Ｎをかけている。また、搬送ローラ２７はアースローラの役目も担っており、搬送ベルト２１の中抵抗層（裏層）と接触配置され接地している。
【００１９】
また、搬送ベルト２１の裏側には、記録ヘッド４による印写領域に対応してガイド部材３６を配置している。このガイド部材３６は、上面が搬送ベルト２１を支持する２つのローラ（搬送ローラ２７とテンションローラ２８）の接線よりもインクジェットヘッド７側に突出している。これにより搬送ベルト２１は印字領域ではガイド部材３６の上面で押し上げられてガイドされる。
【００２０】
さらに、インクジェットヘッド７で記録された用紙１２を排紙するための排紙部として、搬送ベルト２１及び排紙コロ４３と、排紙される用紙１２をストックする排紙トレイ４４とを備えている。
また、背部には両面給紙ユニット５１が着脱自在に装着されている。この両面給紙ユニット５１は搬送ベルト２１の逆方向回転で戻される用紙１２を取り込んで反転させて再度カウンタローラ２２と搬送ベルト２１との間に給紙する。
【００２１】
このように構成されたインクジェットプリンタにおいては、給紙部から用紙１２が１枚ずつ分離給紙され、略鉛直上方に給紙された用紙１２はガイド１５で案内され、搬送ベルト２１とカウンタローラ２２との間に挟まれて搬送され、さらに、先端を搬送ガイド２３で案内された先端加圧コロ２５で搬送ベルト２１に押し付けられ、略９０度搬送方向を転換される。
【００２２】
このとき、図示しない制御回路により高圧電源から帯電ローラ２６に対してプラス出力とマイナス出力とが交互に繰り返すように、つまり交番する電圧が印加され、搬送ベルト２１が交番する帯電パターン、即ち、周回方向である副走査方向に、プラスとマイナスと所定の幅で帯状に交互に帯電されたものとなる。このプラス、マイナス交互に帯電した搬送ベルト２１上に用紙１２が給送されると、用紙１２内で帯電パターンと反対の電荷に分極するので、平行接続されたコンデンサが形成されたことになり、用紙１２が搬送ベルト２１に吸着され、搬送ベルト２１の周回移動により用紙１２が副走査方向に搬送される。
【００２３】
そこで、キャリッジ３を移動させながら画像信号に応じてインクジェットヘッド７を駆動することにより、停止している用紙１２にインク滴を吐出して１行分を記録し、用紙１２を所定量搬送後、卯木の行の記録を行う。記録終了信号又は用紙１２の後端が記録領域に到達した信号を受けることにより、記録動作を終了して、用紙１２を排紙トレイ４４に排紙する。
【００２４】
また、両面印刷の場合には、表面（最初に印刷する面）の記録が終了したときに、搬送ベルト２１を逆回転させることで、記録済みの用紙１２を両面給紙ユニット５１内に送り込み、用紙１２を反転させて（裏面が印刷面になる状態にして）再度カウンタローラ２２と搬送ベルト２１との間に給紙し、タイミング制御を行って前述したと同様に搬送ベルト２１上に搬送して裏面に記録を行った後、排紙トレイ４４に排紙する。
【００２５】
次に、このインクジェットプリンタの制御部について図２により説明する。
図２において、この制御部は、プリンタコントローラ７０と、主走査モータ４及び副走査モータ３１を駆動するためのモータドライバ８１と、インクジェットヘッド７を駆動するヘッドドライバ（ヘッド駆動回路、ドライバＩＣで構成）８２を備えている。
【００２６】
プリンタコントローラ７０は、ホスト側から印刷データ等をケーブル又はネットワークを介してＩ／Ｆ（インターフェース）７２で受信する。ホストとしては、ＰＣ等の情報処理装置、イメージスキャナ等の画像読み取り装置、デジタルカメラ等の撮像装置等がある。また、プリンタコントローラ７０には、ＣＰＵ等からなり後述する動作状態制御や印刷制御等を行う主制御部７３がある。
【００２７】
また、プリンタコントローラ７０は、操作パネル等の操作部と接続される表示・操作部８３や各種データを記憶するＲＡＭ７４や各種データ処理のためのプログラムを記憶するＲＯＭ７５、発振回路７６、インクジェットヘッド７への駆動波形を発生する駆動信号発生回路７７、ドットパターンデータ（ビットマップデータ）に展開された印字データ及び駆動波形等をヘッドドライバ８２に送信するＩ／Ｆ７８、モータ駆動データをモータドライバ８１に送信するＩ／Ｆ７９を備えている。
ＲＡＭ７４は、各種バッファ及びワークメモリ等として用いるもので、印刷制御パラメータ等も格納する。ＲＯＭ７５は、主制御部７３で実行する各種制御ルーチンとフォントデータ及びグラフィック関数、各種手続き等を記憶する。
【００２８】
主制御部７３は、Ｉ／Ｆ７２に含まれる受信バッファ内の印刷データを読み出して中間コードに変換し、この中間コードデータをＲＡＭ７４の所定エリアの中間バッファに記憶し、読み出した中間コードデータをＲＯＭ７５に格納したフォントデータを用いてドットパターンデータに展開し、ＲＡＭ７４の異なるエリアに記憶する。尚、ホスト側のプリンタドライバ印刷データをビットマップデータに展開して、このインクジェットプリンタに転送する場合は、単にＲＡＭ７４に受信したビットマップの印刷データを格納する。
【００２９】
そして、主制御部７３は、インクジェットヘッド７の１行分に相当するドットパターンデータが得られると、この１行分のドットパターンデータを、発振回路７６からのクロック信号ＣＬＫに同期してＩ／Ｆ７８を介してヘッドドライバ８２にシリアルデータを送出し、また、所定のタイミングでラッチ信号をヘッドドライバ８２に送出する。
【００３０】
駆動信号発生回路７７は、駆動波形（駆動信号）のパターンデータを格納したＲＯＭ（ＲＯＭ７５でもよい）と、このＲＯＭから読み出される駆動波形データをＤ／Ａ変換するＤ／Ａ変換器を含むは携帯電話機生成回路及びアンプ等で構成されている。
【００３１】
図１は本発明による画像形成装置を概念的に示すブロック図である。
図１において、本発明による画像形成装置１０２は、プリンタコントローラ７０等を含む画像形成装置動作状態制御手段（以下、制御手段）１１０を備えると共に、この制御手段１１０に接続される温度センサ８０としての温度検出手段１３０、温度閾値選択手段（以下、選択手段）１２０、報知手段としての動作状態表示手段１５０を備え、さらに、選択手段１２０に接続される記憶手段１４０を備えている。この記憶手段１４０には、後述する第１〜３の温度閾値が格納されている。選択手段１２０と記憶手段１４０とにより温度閾値の変更手段１６０を構成している。
【００３２】
また、画像形成装置１０２に接続されるプリンタドライバ１０３にも動作状態表示手段１５０が設けられている。このプリンタドライバ１０３は、前記ホストに記憶媒体、あるいはダウンロードを通じてインストールされものである。
【００３３】
次に、上記にように構成された本発明による画像形成装置について説明する。この画像形成装置１０３は、電源オン時の起動時モード、印刷等の通常の画像形成動作を行う動作中モード、待機モードの３つの動作状態に制御される。各モードでは、温度検出手段１３０の検出温度と温度閾値とが比較され、比較結果に基づいて所定の制御が行われる。
【００３４】
本発明においては、上記各モードに応じて異なる温度閾値を使用する。図３は各モードで用いる温度閾値で決められる動作可能温度範囲の例を示す。
図３において、起動時モードでは略２．５〜４５℃の温度範囲を有し、動作中モードでは略０〜５０℃の温度範囲を有し、待機モードでは、略５〜４０℃の温度範囲を有している。
ここで、待機モードは、温度検出手段１３０の検出温度が、起動時モードの温度範囲又は動作中モードの温度範囲から出たとき（温度範囲外になったとき）に動作を停止して待機状態になるモードである。
【００３５】
例えば、電源オンにより起動時モードになるが、このとき検出温度が図３の起動時温度範囲の２．５℃より低い場合は待機モードに移行して、ヒータで温める。
そして、検出温度が待機モードの温度範囲の５℃を越えると動作可能温度になり、装置は動作中モードに移行する。動作中に温度が上がり動作中モードの動作可能温度範囲の５０℃を越えると、再び待機モードになる。この待機状態で検出温度が下がってきて４０℃になると、再び動作中モードに移行して画像形成動作が行われる。
【００３６】
図４は起動時モードでの動作を示すフローチャートである。
電源オンにより動作フラグを‘０’、待機状態フラグを‘０’にする（ステップＳ１、Ｓ２）。このフラグによって第１の温度閾値が選択され、動作可能温度範囲が決められる。次に、検出温度が動作可能温度範囲から外れた否かを判断する（ステップＳ３）。温度範囲内であれば、動作フラグを‘１’にして（ステップＳ４）、動作を開始する（ステップＳ５）。検出温度が温度範囲外になったら、待機状態フラグを‘１’にして待機モードに移行する（ステップＳ６、Ｓ７）。待機中は第３の温度閾値が用いられ、検出温度がその動作可能温度範囲から出たかを判断し（ステップＳ８）、温度範囲を出たら待機状態フラグを‘０’にし（ステップＳ９）、動作フラグを‘１’にして（ステップＳ４）、動作を開始する（ステップＳ５）。
【００３７】
図５は動作中モードでの動作を示すフローチャートである。
動作中は（ステップＳ１１）第２の温度閾値が用いられ、検出温度がその動作可能温度範囲から出たかを判断する（ステップＳ１２）。温度範囲外になったら待機状態フラグを‘１’にし動作フラグを‘０’にして（ステップＳ９）待機モードになる（ステップＳ１４）。そして第３の温度閾値が用いられ、検出温度がその動作可能温度範囲から出たかを判断する（ステップＳ１５）。温度範囲を出たら待機フラグを‘０’にし、動作フラグを‘１’にして（ステップＳ１６）、動作を開始する（ステップＳ１１）。
【００３８】
本実施の形態によれば、各モードごとに異なる温度閾値を用いてそれぞれの動作可能温度範囲外の温度部分を分けて制御したことにより、装置が動作・停止を小刻みに繰り返すようなことがなく、常に安定した動作を得ることができる。
また、モードごとに温度閾値を変更することにより、無駄のない広い範囲の温度で動作することができる。
【００３９】
尚、図４、図５のフローチャートに示す処理を、プリンタコントローラ７０のＣＰＵが実行するためのプロラムは本発明によるプロラムを構成し、このプロラムを記憶する記憶媒体は、本発明によるコンピュータ読み取り可能な記憶媒体を構成する。この記憶媒体としては、半導体記憶装置や光学的・磁気的な記憶装置等を用いることができる。このようなプロラム及び記憶媒体を、上述した実施の形態とは異なる構成のシステム等で用い、そこのＣＰＵで上記プロラムを実行させることにより、本発明と実質的に同じ効果を得ることができる。
【００４０】
【発明の効果】
以上説明したように本発明によれば、動作状態に応じて温度閾値を変更するように構成したので、装置が動作・停止の間で振動するようなことがなく、装置の破壊を防止できると共に、常に安定した動作を得ることができる。また、ユーザが広い温度範囲で使用することができる。
【図面の簡単な説明】
【図１】本発明による画像形成装置の概念的な構成を示すブロック図である。
【図２】本発明の実施の形態によるインクジェットプリンタの構成を示すブロック図である。
【図３】モードごとの動作可能温度範囲の数値の具体例を示す構成図である。
【図４】起動時モードにおける動作を示すフローチャートである。
【図５】動作中モードにおける第祖を示すフローチャートである。
【図６】本発明の実施の形態によるインクジェットプリンタの構成を示す正面図である。
【図７】本発明の実施の形態によるインクジェットプリンタの構成を示す平面図である。
【符号の説明】
３  キャリッジ
７  インクジェットヘッド
１２  用紙
７０  プリンタコントローラ
７３  主制御部
７４  ＲＡＭ
７５  ＲＯＭ
８０  温度センサ
８３  表示・操作部
１０２  画像形成装置
１０３  プリンタドライバ
１１０  制御手段
１２０  選択手段
１３０  温度検出手段
１４０  記憶手段
１５０  表示手段
１６０  変更手段
【図１】
2005022294.tif 000003
【図２】
2005022294.tif 000004
【図３】
2005022294.tif 000005
【図４】
2005022294.tif 000006
【図５】
2005022294.tif 000007
【図６】
2005022294.tif 000008
【図７】
2005022294.tif 000009